(57)【特許請求の範囲】
【請求項１】
ＦＭ放送信号に多重されて送られてくる文字放送番組の文字情報をページ毎にメモリに記憶すると共に、該文字放送番組の番組番号とページ番号と文字情報の記憶アドレスとの対応関係を記憶し、操作部より要求された番組番号／ページ番号の文字情報の記憶アドレスを前記対応関係より求めて前記メモリより検索して表示するＦＭ多重放送受信機の多重文字情報表示方法において、
前記メモリより表示する文字情報を検索した時、該文字情報の番組番号、ページ番号及び該文字情報のメモリにおける記憶アドレスの対応をキャッシュメモリに保存し、
所定の番組番号／ページ番号が指定された時、前記キャッシュメモリの保存データより指定された番組番号／ページ番号の文字情報の記憶アドレスを求め、
該記憶アドレスに基づいて文字情報を前記メモリより読み出して表示し、
前記指定された番組番号／ページ番号が前記キャッシュメモリの保存データより検索できない場合には、前記メモリに記憶されている前記対応関係より該指定された番組番号／ページ番号の文字情報の記憶アドレスを求めて該文字情報を前記メモリより読み出して表示し、該文字情報の番組番号、ページ番号及び該文字情報のメモリにおける記憶アドレスの対応を前記キャッシュメモリに保存する、
ことを特徴とする多重文字情報表示方法。
【発明の詳細な説明】
【０００１】
【発明の属する技術分野】
本発明は、文字情報表示機能を備えたＦＭ多重放送受信機の多重文字情報表示方法に係り、特にキャッシュメモリを用いて短時間に多重文字情報を表示する多重文字情報表示方法に関する。
【０００２】
【従来の技術】
近年、文字放送番組（道路交通状況、天気予報、ニュース、エンターテインメント等）に応じた文字情報をＦＭ放送信号に多重して伝送し、ＦＭ受信機のディスプレイ装置に所望の文字情報を表示するサービスが行なわれている。かかるＦＭ多重放送において、ＦＭ送信局は多数の文字情報をＦＭ放送信号に多重して送信し、ＦＭ受信機はこれら文字情報をＦＭ放送信号より分離してページ毎に内蔵のメモリに保存する。そして、ユーザがＦＭ多重の文字情報を見るためには放送局から送出されているメニューに従い、ＦＭ多重放送受信機に設けられたキー操作により所望の文字放送番組の所望ページを特定すれば、ＦＭ多重放送受信機は該特定された文字放送番組の特定されたページに応じた文字情報をメモリより読み出してディスプレイ装置に表示する。文字情報が数ページに及ぶ場合にはユーザ操作（ページ送り、ページ戻し操作）により各ページの文字情報を順次ページ単位でディスプレイ画面に表示する。
【０００３】
図３は文字情報のメモリにおける記憶例を説明するもので、１は１ページ毎に番組番号／ページ番号で特定される文字情報ＣＩ１，ＣＩ２，．．．，ＣＩｎを記憶する文字情報記憶部である。２は対応情報記憶部であり、ページ毎に▲１▼番組番号、▲２▼ページ番号、▲３▼該番組番号／ページ番号で特定される文字情報ＣＩ１〜ＣＩｎの文字情報記憶部１における記憶アドレスの対応を記憶するものである。
【０００４】
現在放送局からは約６００ページ（放送局によって異なるが、ＭＡＸ６００ページ強）の文字情報が送出されている。ＦＭ多重放送受信機は１ページ分の文字情報を受信する毎に、受信した１ページの文字情報を文字情報記憶部１に保存すると共に、該文字情報より番組番号とページ番号を抽出し、これら番組番号／ページ番号と文字情報記憶アドレスの対応を対応情報記憶部２に記憶する。
【０００５】
図４はＦＭ放送（例えばＪ−Ｗａｖｅ）に多重されて送信されてくる文字情報の階層構造の一例を表す図である。第１階層にメインメニューがあり、メインメニューに第２階層のサブメニュー（オンエア情報、リスト＆チャート、．．．、アラジン６区）がリンクしている。サブメニューにはそれぞれ第３階層の番組がリンクしており、例えば、サブメニューの「ニュース」には▲１▼ニュース、▲２▼スポーツ、▲３▼英文ニュースの番組がリンクしている。サブメニューの「オンエア情報」は放送中の番組に連動する文字情報を表示するものであり、受信した文字情報は逐次ディスプレイ画面に表示される。また図中に示すａは１６進数２桁の番組番号、ｂは番組のページ数、ｃは下位の番組を選択する際に入力するメニュー番号である。
【０００６】
図５はＦＭ多重放送受信機のオペレーションの一例を示す図である。図示しないがＦＭ多重放送受信機には、メニュー番号を入力して下位階層の番組を選択するための「１」〜「６」の数字キー、番組の文字情報が複数ページに及ぶ場合における「ページ送り」、「ページ戻し」キー、及び上の階層に戻る動作に対応する「戻り」キーが設けられている。
【０００７】
ＦＭ多重放送受信機は、全文字情報が受信されている状態において文字情報表示が選択されると、図５（ａ）に示すようにディスプレイ画面にメインメニューを表示する。このメインメニューが表示されている時に例えば数字キーの「３」を押すと、ＦＭ多重放送受信機はニュースのサブメニュー情報を検索して、図５（ｂ）に示すようにサブメニューをディスプレイ画面に表示する。
【０００８】
ついで、数字キーの「２」を押すと、ＦＭ多重放送受信機はスポーツ番組の第１ページを検索して、図５（ｃ）に示すようにディスプレイ画面に表示する。情報が複数ページある場合、「ページ送り」キーを押すと図５（ｄ）に示すように次ページの情報を表示し、「ページ戻し」キーを押すと図５（ｃ）に示すように前ページの情報をディスプレイ画面に表示する。また、「戻り」キー押す毎に図５（ｂ），図５（ａ）というように上の階層の情報を表示する。以上では、全文字情報がメモリに記憶されている場合としたが、記憶されていない場合には、要求された文字情報を受信するまで待機し、受信後に表示する。又、以上では順次メニューに従って、番組番号／ページ番号を入力したが、直接番組番号／ページ番号を入力する方法もある。
【０００９】
図６は、従来のＦＭ多重放送受信機における多重文字情報表示処理のフロー図である。まずユーザ操作（キー入力）で要求された文字情報の番組番号／ページ番号を識別する（ステップ２０１）。次に、ユーザが要求した番組番号／ページ番号の文字情報をメモリにおいて検索し（ステップ２０２）、該文字情報を検索できたか判断する（ステップ２０３）。検索できなければ処理を終了し、検索できれば文字情報データの解析処理を行ない（ステップ２０４）、文字情報をディスプレイ画面に表示するための表示更新処理を行なう（ステップ２０５）。尚、ステップ２０２の検索処理はユーザが要求した番組番号／ページ番号を対応情報記憶部２（図３）の最初から検索し、該番組番号／ページ番号の検索ができたならデータ記憶アドレスに基づいて文字情報記録部１から文字情報を読み出す。
【００１０】
【発明が解決しようとする課題】
以上のように、従来のＦＭ多重放送受信機では、ユーザ操作がある度にメモリに記憶されている番組番号／ページ番号とユーザによって要求された番組番号／ページ番号との一致検索を行なっているため、最悪全ページの一致検索を行なう必要がある。そのため、従来は文字情報を表示するまでに時間がかかりユーザに不快感を与えているという問題がある。特に放送局から送出される文字情報は年々増加する傾向にあり、現在も６００ページに及ぶ文字情報が送出されており、今後ますます検索にかかる時間が増加していくと考えられる。
従って、本発明の目的は文字情報の検索時間を短くし、表示に要する時間を短縮することである。
【００１１】
【課題を解決するための手段】
上記課題は、本発明によれば、ＦＭ放送信号に多重されて送られてくる文字放送番組の文字情報をページ毎にメモリに記憶すると共に、該文字放送番組の番組番号とページ番号と文字情報の記憶アドレスとの対応関係を記憶し、操作部より要求された番組番号／ページ番号の文字情報の記憶アドレスを前記対応関係より求めて前記メモリより検索して表示するＦＭ多重放送受信機の多重文字情報表示方法において、（1）前記メモリより表示する文字情報を検索した時、該文字情報の番組番号、ページ番号及び該文字情報のメモリにおける記憶アドレスの対応をキャッシュメモリに保存し、（2）所定の番組番号／ページ番号が指定された時、前記キャッシュメモリの保存データより指定された番組番号／ページ番号の文字情報の記憶アドレスを求め、（3）該記憶アドレスに基づいて文字情報を前記メモリより読み出して表示し、（4）前記指定された番組番号／ページ番号が前記キャッシュメモリの保存データより検索できない場合には、前記メモリに記憶されている前記対応関係より該指定された番組番号／ページ番号の文字情報の記憶アドレスを求めて該文字情報を前記メモリより読み出して表示し、該文字情報の番組番号、ページ番号及び該文字情報のメモリにおける記憶アドレスの対応を前記キャッシュメモリに保存することによって達成される。
すなわち、一度ユーザ要求により表示した文字情報は、後にユーザが再度表示要求する確率が高い。又、一度記憶すると、文字情報に変更があっても記憶アドレスは変更しない。このため、表示した文字情報の番組情報／ページ番号／文字情報の記憶アドレスをキャッシュメモリに記憶しておき、表示要求があった時、キャッシュメモリを検索することにより、文字情報の検索時間を短くし表示に要する時間を短縮することができる。
【００１２】
【発明の実施の形態】
図１は本発明を適用したＦＭ多重放送受信機の構成図である。１０はアンテナ、１２はフロントエンド（Ｆ／Ｅ）であり図示しないがアンテナ同期回路や高周波増幅回路、局部発振器、混合器等を有している。１４は中間周波増幅／ＦＭ検波回路（ＩＦ／ＤＥＴ）、１６はノイズキャンセルとステレオ復調を行なうノイズキャンセラ／ステレオ復調回路（ＮＣ／ＭＰＸ）である。１８はＦＭ検波信号からＬＭＳＫ変調信号成分を取り出すフィルタ回路、２０はＬＭＳＫ変調信号に遅延検波を施し、ビットクロックの再生とビットデータ列の復調を行なうＬＭＳＫ復調回路である。２２はブロック同期とフレーム同期の検出を行なう同期回路、２４はＣＲＣによる誤り検出を行なうと共に誤りがあった場合にはその訂正を行なう誤り検出訂正回路である。
【００１３】
３０はＣＰＵであり、選局操作に従った選局制御や文字情報の表示制御等を行なうもの、３２は受信した文字情報を従来と同様の方法に基づいて記憶するメモリ（図３参照）であり、メモリ３２に一度全ページの文字情報を記憶すると、以後文字情報に変更があっても、番組番号／ページ番号の記憶アドレスは変更しない。３４は表示画像を格納する表示用ＲＡＭ、３６は文字情報を画面に表示するディスプレイ装置である。３８はフロントエンド１２内の局部発振回路とＰＬＬ回路（図示せず）で構成された選局回路であり、選局した放送局に応じた局部発振周波数信号をＦ／Ｅのミキサに入力するもの、４０は文字放送番組ページを選択する各種キー、例えばページ送り／ページ戻しキー、数字入力キー等が設けられている操作部である。
【００１４】
４２は本発明を実現するためのキャッシュメモリであり、ユーザ要求によって表示された文字情報の番組番号／ページ番号／メモリ３２におけるデータ記憶アドレスを格納するものである。キャッシュメモリ４２は、ユーザにより要求された番組番号／ページ番号の文字情報の記憶アドレスがメモリ３２より検索され、該文字情報が画面に表示される毎に、その番組番号／ページ番号／メモリ３２における記憶アドレスを格納する。そして、キャッシュメモリ４２の容量を越えれば、上書きにより常に最新のＮ個の情報を保存するようにしている。
【００１５】
図２は本発明のＦＭ多重放送受信機における多重文字情報表示処理のフロー図である。従来同様、まずユーザ操作（キー入力）で要求された文字情報の番組番号／ページ番号を識別する（ステップ１０１）。次に、ユーザが要求した番組番号／ページ番号の文字情報をキャッシュメモリ４２上より検索し（ステップ１０２）、該番組番号／ページ番号を検索できたか判断する（ステップ１０３）。ここで、検索できればキャッシュメモリ４２に格納されている該番組番号／ページ番号に対応するデータ記憶アドレスに従って、メモリ３２より文字情報を読み出す（ステップ１０４）。ついで、読み出した文字情報に所定の解析処理を施し（ステップ１０６）、文字情報をディスプレイ画面に表示する（ステップ１０７）。
一方、ステップ１０３においてキャッシュメモリ４２上よりユーザが要求した番組番号／ページ番号を検索できない時は、従来処理と同じようにメモリ３２における対応情報記憶部２より番組番号／ページ番号の検索処理を行ない（ステップ１０５）、データ解析処理（ステップ１０６）、ついで表示更新処理（ステップ１０７）を行なう。
【００１６】
【発明の効果】
以上本発明によれば、ユーザ操作によって以前に表示した番組番号／ページ番号の文字情報を再び表示する場合、該文字情報の検索を全ページの文字情報が記憶されているメモリ３２からではなく、キャッシュメモリ４２より行なうことによって検索時間を短くし、表示に要するまでの時間を短縮することができる。つまり、従来最悪、全ページ検索していたものが本発明によればキャッシュメモリ検索時間にでき、検索時間をほぼ０にすることが可能になる。従って、ユーザ操作に対するレスポンスが著しく向上するという効果を奏する。
【図面の簡単な説明】
【図１】本発明のＦＭ多重放送受信機の構成図である。
【図２】本発明のＦＭ多重放送受信機における多重文字情報表示処理のフロー図である。
【図３】文字情報のメモリにおける記憶例である。
【図４】文字情報の階層構造図である。
【図５】ＦＭ多重放送受信機のオペレーション説明図である。
【図６】従来のＦＭ多重放送受信機における多重文字情報表示処理のフロー図である。
【符号の説明】
１０・・アンテナ
１２・・フロントエンド（Ｆ／Ｅ）
１４・・中間周波増幅／ＦＭ検波回路（ＩＦ／ＤＥＴ）
１６・・ノイズキャンセラ／ステレオ復調回路（ＮＣ／ＭＰＸ）
１８・・フィルタ回路
２０・・ＬＭＳＫ復調回路
２２・・同期回路
２４・・誤り検出訂正回路
３０・・ＣＰＵ
３２・・メモリ（ＲＡＭ）
３４・・表示用ＲＡＭ
３６・・ディスプレイ装置
３８・・選局回路
４０・・操作部
４２・・キャッシュメモリ
【図１】
0003715455.tif 000002
【図２】
0003715455.tif 000003
【図３】
0003715455.tif 000004
【図４】
0003715455.tif 000005
【図５】
0003715455.tif 000006
【図６】
0003715455.tif 000007